(57)【特許請求の範囲】
【請求項１】
建物の外壁開口部に固定された枠体と、この枠体に支持された面状体とを備えた建具であって、
前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、
前記面状体は、上框、下框、および左右の縦框と、これらの内部に嵌め込まれた面材とを有した障子であって、
前記内気導通部は、前記障子の縦框に設けられ、
前記内気導通部は、中空筒状に形成された前記縦框の中空部で構成され、
前記上部開口および下部開口は、室内空間に露出した前記縦框の室内側面に形成されているか、または上部開口は上框の室内側面に形成され、下部開口は下框の室内側面に形成されている建具。
【請求項２】
建物の外壁開口部に固定された枠体と、この枠体に支持された面状体とを備えた建具であって、
前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、
前記面状体は、上框、下框、および左右の縦框と、これらの内部に嵌め込まれた面材とを有した障子であって、
前記内気導通部は、前記障子の縦框に設けられ、
前記縦框は、室外空間に露出した室外面および室内空間側に設けられた室内面を有した縦框本体と、この縦框本体の室内面を覆う覆い部材とを有して形成され、
前記熱交換部は、前記縦框本体の室内面に形成され、前記内気導通部は、前記縦框本体の室内面と前記覆い部材との隙間で構成され、前記上部開口および下部開口は、前記覆い部材の室内側面に形成されているか、または上部開口は上框の室内側面に形成され、下部開口は下框の室内側面に形成されている建具。
【請求項３】
建物の外壁開口部に固定された枠体と、この枠体に支持された面状体とを備えた建具であって、
前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、
前記面状体は、上框、下框、および左右の縦框と、これらの内部に嵌め込まれた面材とを有した障子であって、
前記内気導通部は、前記障子の縦框に設けられ、
前記熱交換部は、前記縦框の側面に形成された複数の突片を有して構成されている建具。
【請求項４】
建物の外壁開口部に固定された枠体と、この枠体に支持された面状体とを備えた建具であって、
前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、
前記面状体は、上框、下框、および左右の縦框と、これらの内部に嵌め込まれた面材とを有した障子であって、
前記内気導通部は、前記障子の縦框に設けられ、
前記熱交換部は、室外空間に露出した前記縦框の室外面に連続しかつ当該縦框の構成材料よりも高い熱伝導率の金属部材を有して構成されている建具。
【請求項５】
建物の外壁開口部に固定された枠体と、この枠体に支持された面状体とを備えた建具であって、
前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、
前記面状体は、上框、下框、および左右の縦框と、これらの内部に嵌め込まれた面材とを有した障子であって、
前記内気導通部は、前記障子の縦框に設けられ、
前記熱交換部には、上下に延びて形成された複数の溝が設けられている建具。
【請求項６】
前記上部開口および下部開口のうちの少なくとも一方は、開閉可能に構成されている請求項１から請求項５のいずれかに記載の建具。
【発明の詳細な説明】
【技術分野】
【０００１】
本発明は、建具に関し、詳しくは、建物の外壁開口部に固定された枠体と、この枠体に支持された面状体とを備えた建具に関する。
【背景技術】
【０００２】
近年、空調負荷を低減して建物の省エネルギー化を図るために、外壁や建具における高気密化および高断熱化が促進されている。
このような高断熱化が実現できる建具（サッシ窓）として、アルミニウム合金製の室外部材（形材）および室内部材（形材）を、樹脂材料などからなる断熱材で連結した断熱形材を用いて、窓枠の枠材や障子の框材を構成した断熱サッシが知られている（例えば、特許文献１参照）。
このような断熱サッシでは、例えば、内気の温度よりも外気の温度が低い場合に、外気によって室外部材が冷やされたとしても、断熱材によって熱伝達が遮断（抑制）されることで室内部材の温度が低下しにくいため、室内部材と内気との間の温度差が大きくならず、室内部材表面における結露が防止できるようになっている。
【０００３】
しかし、高気密化、高断熱化された建物の室内空間において、冬季の乾燥を防止するために加湿器や加湿機能付き空調機等が多用された場合には、室内空間の湿度が上昇しすぎる傾向が強くなっており、このように湿度が上昇した室内環境下では、外壁の躯体や内装材の内部、外壁室内面に貼られたクロスの内側に結露が発生しやすくなることがある。このように外壁に発生した結露水は、排出されにくいために外壁内部におけるカビ等の発生原因になり、室内環境が悪化してしまう可能性がある。
【０００４】
一方、室内空間における湿気を除去して結露の発生を防止することを目的に考案された防露装置がある（例えば、特許文献２参照）。
この防露装置は、サッシの上枠室内側側面に室内空間に露出させて設けられた多数の吸熱フィンと、上枠室外側側面に室外空間に露出させて設けられた多数の放熱フィンと、吸熱フィンの下方に設けられた結露水排出樋とを備えたものである。そして、この防露装置は、室内の吸熱フィンと室外の放熱フィンとの間で熱伝導させ、吸熱フィンに室内空間の湿気を結露させるとともに、結露水排出樋を介して結露水を室外に排出するように構成されている。
【０００５】
【特許文献１】特開平７−３０５５６６号公報
【特許文献２】実登第２５１３４８１号公報
【発明の開示】
【発明が解決しようとする課題】
【０００６】
しかしながら、特許文献２のような従来の防露装置では、吸熱フィンおよび放熱フィンが上枠に固定されているため、上枠の室内側側面や外壁との固定部分が冷却され、これらの上枠各部および上枠周辺の外壁にも結露が発生してしまうという問題がある。
また、吸熱フィンが上枠の長手方向に沿って設けられている、つまり横（水平）方向に沿って多数並列して設けられているため、これらの吸熱フィン近傍で内気が滞留するのみで、特許文献２に記載されたようなサッシの室内側側面に沿って内気が循環するような現象は起こりにくく、除湿効果がさほど期待できないという問題もある。
さらに、吸熱フィンおよび放熱フィンがそれぞれ室内空間および室外空間に露出して設けられているため、サッシの外観意匠性が劣化してしまうとともに、これらの吸熱フィンおよび放熱フィンが邪魔になって室内側のカーテンやブラインド等、および室外側のシャッターや雨戸等が取り付けにくくなりサッシの機能性が阻害されてしまうという問題もある。
【０００７】
本発明の目的は、外壁における冬季の結露を確実に防止して良好な室内環境が実現でき、かつ意匠性や機能性にも優れた建具を提供することにある。
【課題を解決するための手段】
【０００８】
本発明の建具は、建物の外壁開口部に固定された枠体と、この枠体に支持された面状体とを備えた建具であって、前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、前記面状体は、上框、下框、および左右の縦框と、これらの内部に嵌め込まれた面材とを有した障子であって、前記内気導通部は、前記障子の縦框に設けられ、前記内気導通部は、中空筒状に形成された前記縦框の中空部で構成され、前記上部開口および下部開口は、室内空間に露出した前記縦框の室内側面に形成されているか、または上部開口は上框の室内側面に形成され、下部開口は下框の室内側面に形成されていることを特徴とする。
ここで、本発明の建具としては、引違い窓や片引き窓、上げ下げ窓、嵌め殺し窓等の各種のサッシ窓であってもよく、また玄関や勝手口等の各種の出入り口であってもよい。 
【０００９】
以上の建具によれば、冬季における室内空間の暖かく湿った内気が上部開口を介して内気導通部に取り込まれ、取り込まれた内気が熱交換部において外気と熱交換して冷却されることで、内気中の湿気が結露した結露水が排水部から室外空間に排水されるとともに、湿気が除去されて乾燥した内気が下部開口から室内空間に戻されることになる。これにより、室内空間における過剰な湿度の上昇が抑制されるので、熱交換部以外の建具各部や外壁での結露が防止されるとともに、内気導通部および熱交換部が面状体に設けられていることで、熱交換部が外気で冷却されても、枠体や外壁への熱伝導が抑制されるため、外壁の結露を一層防止することができる。従って、外壁内部やクロスの内側などにおけるカビ等の発生を防止でき、室内環境を良好に維持することができる。
【００１０】
さらに、内気導通部が面状体に沿って上下に延びて設けられているので、熱交換部で冷却された内気が内気導通部中を下降することによる下降気流が発生し、この下降気流によって上部開口から取り込まれて下部開口から室内空間へ戻されるという内気の循環が起きるため、室内空間の広い範囲の内気に対して除湿効果を期待することができる。
また、熱交換部を内気導通部の内部に設けることで、熱交換部が室内側から見えないように隠蔽することができ、建具の意匠性が良好にできるとともに、このような熱交換部や内気導通部を枠体に設けないことで、カーテンやブラインド等の設置の邪魔になることがなく、建具の機能性を確保することができる。
また、障子を構成する縦框に内気導通部を設けたことで、建具の意匠性を損なうことなく、上下方向の寸法を十分に確保した内気導通部を設置することができ、確実に内気を循環させることができる。また、障子の縦框は、一般的にアルミ合金製の形材を用いて形成されているため、この形材のうち室外空間に露出した部分に連続させて熱交換部を形成すれば、形材を介した熱交換を容易に実施することができ、熱交換部の構造を簡単化することができる。
さらに、縦框の中空部で内気導通部を構成することで、内気導通部を容易に形成することができるとともに、この内気導通部と室外空間とを仕切る縦框の室外側面に熱交換部を形成することで、外気との間で効率よく熱交換を実施することができ、かつこの熱交換部を縦框内部に隠蔽して目立たなくすることができる。さらに、内気導通部の下端部である縦框の下端部に排水孔が形成されることとなるので、この排水孔を室外空間側に形成して結露水を確実に室外に排出することができる。
【００１３】
また、本発明の建具は、建物の外壁開口部に固定された枠体と、この枠体に支持された面状体とを備えた建具であって、前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、前記面状体は、上框、下框、および左右の縦框と、これらの内部に嵌め込まれた面材とを有した障子であって、前記内気導通部は、前記障子の縦框に設けられ、前記縦框は、室外空間に露出した室外面および室内空間側に設けられた室内面を有した縦框本体と、この縦框本体の室内面を覆う覆い部材とを有して形成され、前記熱交換部は、前記縦框本体の室内面に形成され、前記内気導通部は、前記縦框本体の室内面と前記覆い部材との間に形成された隙間で構成され、前記上部開口および下部開口は、前記覆い部材の室内側面に形成されているか、または上部開口は上框の室内側面に形成され、下部開口は下框の室内側面に形成された構成でもよい。
この際、縦框本体は、アルミ形材製であり、覆い部材は、縦框本体よりも熱伝導率が低い材料（例えば、樹脂や木等）から形成されていることが望ましい。
このような構成によれば、縦框本体と覆い部材との隙間で内気導通部を構成することで、縦框本体に開口を形成するための加工を施す必要がなくなり、加工手間を低減することができる。また、縦框本体の室内面に熱交換部を形成し、この熱交換部の室内側を覆い部材で覆うことで、熱交換部を目立たなくすることができる。さらに、覆い部材を縦框本体よりも熱伝導率が低い材料から形成すれば、この覆い部材への室外空間からの熱伝導を抑制することができ、覆い部材表面の結露が防止できるとともに、室内空間への輻射熱も抑制して空調効率を高めることができる。
【００１４】
また、本発明の建具は、建物の外壁開口部に固定された枠体と、この枠体に支持された面状体とを備えた建具であって、前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、前記面状体は、上框、下框、および左右の縦框と、これらの内部に嵌め込まれた面材とを有した障子であって、前記内気導通部は、前記障子の縦框に設けられ、前記熱交換部は、前記縦框の側面に形成された複数の突片を有した構成でもよい。
さらに、前記熱交換部は、室外空間に露出した前記縦框の室外面に連続しかつ当該縦框の構成材料よりも高い熱伝導率の金属部材を有して構成されていてもよい。
これらの構成によれば、複数の突片によって熱交換部の表面積を増大させる、あるいは熱伝導率の高い金属部材を熱橋（ヒートブリッジ）として内気と外気との熱交換を行うことで、熱交換効率（除湿性能）を向上させることができる。
【００１５】
さらに、本発明の建具は、建物の外壁開口部に固定された枠体と、この枠体に支持された面状体とを備えた建具であって、前記面状体に沿って上下に延びかつ内気を導通可能に設けられた内気導通部と、この内気導通部に導通された内気と外気との間で熱交換可能に設けられた熱交換部と、前記内気導通部の上端側および下端側にそれぞれ設けられて当該内気導通部を室内空間に連通させる上部開口および下部開口と、前記内気導通部の下端部に設けられて前記熱交換部に生じた結露水を室外空間に排出する排水部とを備え、前記面状体は、上框、下框、および左右の縦框と、これらの内部に嵌め込まれた面材とを有した障子であって、前記内気導通部は、前記障子の縦框に設けられ、前記熱交換部には、上下に延びて形成された複数の溝が設けられた構成でもよい。
ここで、溝の幅および深さ寸法、溝の間隔寸法は、熱交換部の表面に付着する結露水の表面張力を壊すことができる程度の寸法に設定されていることが望ましい。
このような構成によれば、熱交換部で結露した結露水の表面張力が溝によって壊され、熱交換部の表面に付着しにくくなった結露水が溝に沿って下方に落下することで、熱交換部の表面に新たな結露水が生じやすくなることから、熱交換効率（除湿性能）を向上させることができる。
【００１６】
また、本発明の建具では、前記上部開口および下部開口のうちの少なくとも一方は、開閉可能に構成されていることが好ましい。
このような構成によれば、冬季においては上部開口および下部開口を開放しておいて室内空間の除湿を実施する一方で、除湿が不要な季節においては、上部開口および下部開口のいずれか一方または両方を閉鎖することで、内気導通部への内気の導通を停止して熱交換部を介した室内空間への外気温の伝導を抑制することができ、例えば夏季における冷房付加を低減して空調効率を向上させることができる。
【発明を実施するための最良の形態】
【００１７】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１８】
〔第１実施形態〕
図１は、本発明の第１実施形態に係る建具である引違い窓１を示す縦断面図である。図２は、引違い窓１を示す横断面図である。図３および図４は、それぞれ引違い窓１の外召合せ框を示す斜視図および縦断面図である。
図１および図２において、引違い窓１は、建物の外壁開口部に固定される枠体としての窓枠２と、窓枠２の内部に開閉自在に支持された室内外一対の面状体としての障子１０（室内側障子１０Ａ，室外側障子１０Ｂ）とを有して構成されている。窓枠２は、上枠３、下枠４、および左右の縦枠５を四周枠組みして形成されており、これらの上枠３、下枠４、および縦枠５は、それぞれアルミ形材製の室内部材３Ａ，４Ａ，５Ａおよび室外部材３Ｂ，４Ｂ，５Ｂと、これらの室内部材３Ａ，４Ａ，５Ａと室外部材３Ｂ，４Ｂ，５Ｂとを連結する樹脂材料からなる断熱部材３Ｃ，４Ｃ，５Ｃとを有して形成された断熱窓枠である。
【００１９】
障子１０は、上框１１、下框１２、左右の縦框である戸先框１３および召合せ框１４と、これらを四周框組みした内部に嵌め込んだ面材であるガラスパネル（複層ガラス）１５とを備えて構成されている。そして、上框１１、下框１２、戸先框１３および召合せ框１４は、それぞれアルミ形材製の室内部材１１Ａ，１２Ａ，１３Ａ，１４Ａおよび室外部材１１Ｂ，１２Ｂ，１３Ｂ，１４Ｂと、これらの室内部材１１Ａ，１２Ａ，１３Ａ，１４Ａと室外部材１１Ｂ，１２Ｂ，１３Ｂ，１４Ｂとを連結する樹脂材料からなる断熱部材１１Ｃ，１２Ｃ，１３Ｃ，１４Ｃとを有して形成されている。また、障子１０は、室内側障子１０Ａの召合せ框１４（内召合せ框１４１）と室外側障子１０Ｂの召合せ框１４（外召合せ框１４２）とが見込み方向に重なって閉じるようになっており、外召合せ框１４２は、内召合せ框１４１よりも大きな見付け寸法を有し、障子１０を閉じた状態で内召合せ框１４１と重ならずに室内空間に露出する室内露出面部１４３を有して形成されている。
【００２０】
外召合せ框１４２は、図２〜図４に示すように、全体中空筒状に形成されている。そして、外召合せ框１４２の上端側および下端側における室内露出面部１４３には、それぞれ上部開口である吸気口１４４と、下部開口である排気口１４５とが設けられている。これらの吸気口１４４および排気口１４５は、外召合せ框１４２に沿って上下に延びた中空部で構成される内気導通部１４６を室内空間に連通させるものであって、図４に示すように、室内空間の内気Ａを吸気口１４４から内気導通部１４６に取り込み、取り込んだ内気Ａを排気口１４５から室内空間に戻すことができるようになっている。そして、外召合せ框１４２の室外部材１４Ｂにおける内気導通部１４６に面した内側面には、熱交換部１４７が設けられている。この熱交換部１４７は、内気導通部１４６に取り込まれた内気Ａと外気との間で熱交換することにより内気Ａ中の湿気を結露させるものであって、外召合せ框１４２の室外部材１４Ｂと一体形成されて上下に延びる複数の突片１４８を有して構成されている。また、内気導通部１４６の下端部（外召合せ框１４２の下端部）には、熱交換部１４７で結露した結露水を室外空間に排出するための排水孔（排水部）１４９が設けられている。この排水孔１４９は、図示しない排水弁を有して構成されており、結露水の逆流や、外気の内気導通部１４６への流入が防止できるようになっている。
【００２１】
以上のような外召合せ框１４２では、冬季における室内空間の暖かく湿った内気Ａが吸気口１４４を介して内気導通部１４６に取り込まれ、取り込まれた内気Ａが熱交換部１４７において外気と熱交換して冷却されることで、内気Ａ中の湿気が結露した結露水が排水孔１４９から室外空間に排水されるとともに、湿気が除去されて乾燥した内気Ａ’が排気口１４５から室内空間に戻され、室内空間の除湿が実行されるようになっている。この際、内気導通部１４６が外召合せ框１４２に沿って上下に延びて設けられているので、熱交換部１４７で冷却された内気Ａ’が内気導通部１４６中を下降することによる下降気流が発生し、この下降気流によって吸気口１４４から取り込まれて排気口１４５から室内空間へ戻されるという内気Ａ，Ａ’の循環が起きるようになっている。
また、吸気口１４４および排気口１４５のうちの少なくとも一方は、開閉可能に構成されており、除湿が不要な季節においては、これらのいずれか一方または両方を閉鎖することで、内気導通部１４６への内気Ａの導通を停止して熱交換部１４７を介した室内空間への外気温の伝導を抑制することができ、例えば夏季における冷房付加を低減して空調効率を向上させることができるようになっている。
【００２２】
このような本実施形態によれば、以下のような効果がある。
（１）すなわち、外召合せ框１４２に設けられた吸気口１４４、排気口１４５、内気導通部１４６、熱交換部１４７および排水孔１４９によって、内気Ａ中の湿気を除去して乾燥した内気Ａ’を室内空間に戻すことができるので、冬季における室内空間の過剰な湿度の上昇が抑制される。そして、内気導通部１４６や熱交換部１４７が障子１０の外召合せ框１４２に設けられていることで、熱交換部１４７が外気で冷却されても、それ以外の障子１０各部や窓枠２への熱伝導が抑制されるため、外壁の結露を一層防止することができ、外壁内部やクロスの内側などにおけるカビ等の発生を防止でき、室内環境を良好に維持することができる。
【００２３】
（２）そして、外召合せ框１４２の中空部によって内気導通部１４６が構成されているので、引違い窓１の意匠性を損なうことなく、内気導通部１４６の上下方向の長さ寸法（導通経路）を十分に確保することができ、内気導通部１４６内に下降気流が生じやすくなることによって、内気Ａ，Ａ’を確実に循環させることができ、室内空間の広い範囲の内気に対して除湿効果を期待することができる。
【００２４】
（３）また、熱交換部１４７が外召合せ框１４２の内部に設けられているので、熱交換部１４７が室内側から見えないように隠蔽でき、引違い窓１の意匠性が良好にできるとともに、このような熱交換部１４７や内気導通部１４６を窓枠２に設けないことで、カーテンやブラインド等の設置の邪魔になることがなく、引違い窓１の機能性を確保することができる。さらに、アルミ形材製の室外部材１４Ｂに熱交換部１４７が設けられているので、この室外部材１４Ｂを介して熱交換部１４７による熱交換を容易に実施することができ、熱交換部１４７の構造を簡単化することができる。そして、複数の突片１４８によって熱交換部１４７の表面積が増大されているので、熱交換効率（除湿性能）を向上させることができる。
【００２５】
〔第２実施形態〕
次に、本発明の第２実施形態を図５〜図７に基づいて説明する。
図５は、本発明の第２実施形態に係る建具における障子２０を示す正面図である。図６および図７は、それぞれ障子２０を示す縦断面図および横断面図である。
第２実施形態の建具は、第１実施形態と同様の窓枠に支持された障子２０を備えた引違い窓で、障子２０の構成が第１実施形態と相違するものである。以下、相違点について詳しく説明する。
【００２６】
障子２０は、上框２１、下框２２、左右の縦框２３と、これらを四周框組みした内部に嵌め込んだ面材であるガラスパネル（複層ガラス）２５とを備えて構成されている。そして、上框２１、下框２２、縦框２３は、それぞれアルミ形材製の框本体２１Ａ，２２Ａ，２３Ａと、これらの框本体２１Ａ，２２Ａ，２３Ａの室内側を覆って設けられたカバー材（覆い部材）２１Ｂ，２２Ｂ，２３Ｂとを有して形成されている。カバー材２１Ｂ，２２Ｂ，２３Ｂは、框本体２１Ａ，２２Ａ，２３Ａよりも熱伝導率の低い樹脂材料から形成され、框本体２１Ａ，２２Ａ，２３Ａに隙間を介して係合されている。そして、カバー材２１Ｂ，２２Ｂ，２３Ｂと框本体２１Ａ，２２Ａ，２３Ａとの隙間によって、本実施形態の内気導通部２１１，２２１，２３１が構成され、框本体２１Ａ，２２Ａ，２３Ａの室内側側面によって熱交換部２１２，２２２，２３２が構成されている。また、上框２１におけるカバー材２１Ｂの上面と室内側側面および縦框２３におけるカバー材２３Ｂの側面に吸気口２１３，２３３が形成され、下框２２におけるカバー材２２Ｂの室内側側面に排気口２２３が形成され、カバー材２２Ｂの下面に排水孔２２４が形成されている。また、上框２１における框本体２１Ａの室内側下部には、熱交換部２１２に連続した凹溝部２１４が形成されており、熱交換部２１２で結露した結露水が凹溝部２１４で案内されて縦框２３側に流れるようになっている。
【００２７】
以上のような障子２０では、室内空間の内気Ａが上框２１および縦框２３の吸気口２１３，２３３を介して内気導通部２１１，２３１に取り込まれ、取り込まれた内気Ａが熱交換部２１２，２３２において框本体２１Ａ，２３Ａを介して外気と熱交換して冷却される。これにより、内気Ａ中の湿気が結露した結露水が凹溝部２１４や縦框２３の内気導通部２３１を通って下方に落下し、排水孔２２４ら室外空間に排水される。そして、湿気が除去されて乾燥した内気Ａ’が下框２２の排気口２２３から室内空間に戻され、室内空間の除湿が実行されるようになっている。この際、縦框２３の内気導通部２３１が上下に延びて設けられているので、熱交換部２１２，２３２で冷却された内気Ａ’が内気導通部２３１中を下降することによる下降気流が発生し、この下降気流によって吸気口２１３，２３３から取り込まれて排気口２２３から室内空間へ戻されるという内気Ａ，Ａ’の循環が起きるようになっている。
【００２８】
このような本実施形態によれば、前記（１）の効果に加えて以下のような効果がある。
（４）すなわち、框本体２１Ａ，２２Ａ，２３Ａとカバー材２１Ｂ，２２Ｂ，２３Ｂとの隙間で内気導通部２１１，２２１，２３１を構成することで、框本体２１Ａ，２２Ａ，２３Ａに開口を形成するための加工が不要になり、加工手間を低減することができる。また、框本体２１Ａ，２２Ａ，２３Ａの室内面に熱交換部２１２，２２２，２３２が形成され、この熱交換部２１２，２２２，２３２の室内側がカバー材２１Ｂ，２２Ｂ，２３Ｂで覆われているので、熱交換部２１２，２２２，２３２を目立たなくすることができる。
【００２９】
（５）さらに、框本体２１Ａ，２２Ａ，２３Ａよりも熱伝導率が低い樹脂材料からカバー材２１Ｂ，２２Ｂ，２３Ｂが形成されているので、カバー材２１Ｂ，２２Ｂ，２３Ｂへの室外空間からの熱伝導を抑制することができ、カバー材２１Ｂ，２２Ｂ，２３Ｂ表面の結露が防止できるとともに、室内空間への輻射熱も抑制して空調効率を高めることができる。
【００３０】
〔第３実施形態〕
次に、本発明の第３実施形態を図８、図９に基づいて説明する。
図８は、本発明の第３実施形態に係る建具における障子３０を示す縦断面図である。図９は、障子３０の縦框を示す横断面図である。
第３実施形態の建具は、第１、第２実施形態と同様の窓枠に支持された障子３０を備えた引違い窓で、障子３０の構成が第１、第２実施形態と相違するものである。以下、相違点について詳しく説明する。
【００３１】
障子３０は、上框３１、下框３２、左右の縦框３３と、これらを四周框組みした内部に嵌め込んだ面材であるガラスパネル（複層ガラス）３５とを備えて構成されている。そして、上框３１、下框３２、縦框３３は、それぞれアルミ形材製の室内部材３１Ａ，３２Ａ，３３Ａおよび室外部材３１Ｂ，３２Ｂ，３３Ｂと、これらの室内部材３１Ａ，３２Ａ，３３Ａと室外部材３１Ｂ，３２Ｂ，３３Ｂとを連結する樹脂材料からなる断熱部材３１Ｃ，３２Ｃ，３３Ｃとを有して構成されている。そして、室外部材３１Ｂ，３２Ｂ，３３Ｂには、室内側に延びる金属製の延出部材３１Ｄ，３２Ｄ，３３Ｄが係合されている。これらの延出部材３１Ｄ，３２Ｄ，３３Ｄは、アルミ形材よりも熱伝導率の高い金属材料から形成されてもよく、またアルミ形材製であってもよい。また、下框３２における室内部材３２Ａと延出部材３２Ｄとの間には、補強部材３２Ｅが介装されている。
【００３２】
延出部材３１Ｄ，３２Ｄ，３３Ｄは、それぞれ上框３１、下框３２、および縦框３３の室外部材３１Ｂ，３２Ｂ，３３Ｂから室内側に向かうとともに見付け方向内方から外方に向かって傾斜した面を備えて形成されており、この傾斜面によって本実施形態の熱交換部３１２，３２２，３３２が構成され、傾斜面と室内部材３１Ａ，３２Ａ，３３Ａおよび断熱部材３１Ｃ，３２Ｃ，３３Ｃとの隙間によって、本実施形態の内気導通部３１１，３２１，３３１が構成されている。また、延出部材３１Ｄ，３２Ｄ，３３Ｄの室内側には、前記第２実施形態と同様に、樹脂製のカバー材が設けられていてもよい。
以上のような障子３０では、室内空間の内気Ａが内気導通部３１１，３２１，３３１に取り込まれ、取り込まれた内気Ａが熱交換部３１２，３２２，３３２において延出部材３１Ｄ，３２Ｄ，３３Ｄおよび室外部材３１Ｂ，３２Ｂ，３３Ｂを介して外気と熱交換して冷却される。これにより、内気Ａ中の湿気が結露した結露水が上框３１の室内部材３１Ａ上面および断熱部材３１Ｃ上面や縦框３３の内気導通部３３１を通って下方に落下し、室外空間に排水される。
【００３３】
このような本実施形態によれば、前記（１）の効果に加えて以下のような効果がある。
（６）すなわち、延出部材３１Ｄ，３２Ｄ，３３Ｄをアルミ形材よりも熱伝導率の高い金属材料から形成すれば、この延出部材３１Ｄ，３２Ｄ，３３Ｄを熱橋（ヒートブリッジ）として内気と外気との熱交換を行うことで、熱交換効率（除湿性能）を向上させることができる。また、延出部材３１Ｄ，３２Ｄ，３３Ｄの室内側をカバー材で覆えば、前記（４）、（５）と略同様の効果が得られる。
【００３４】
〔第４実施形態〕
次に、本発明の第４実施形態を図１０、図１１に基づいて説明する。
図１０(Ａ)，(Ｂ)および図１１は、それぞれ本発明の第４実施形態に係る建具における障子４０Ａ，４０Ｂ，４０Ｃ，４０Ｄを示す横断面図である。
第４実施形態の建具は、第１〜第３実施形態と同様の窓枠に支持された障子４０Ａ，４０Ｂ，４０Ｃ，４０Ｄを備えた引違い窓で、障子４０Ａ，４０Ｂ，４０Ｃ，４０Ｄの構成が第１〜第３実施形態と相違するものである。以下、相違点について詳しく説明する。
【００３５】
障子４０Ａ，４０Ｂ，４０Ｄにおける縦框である戸先框４３は、アルミ形材製の框本体４３Ａと、この框本体４３Ａの室内側を覆って設けられたカバー材（覆い部材）４３Ｂと、これらの框本体４３Ａとカバー材４３Ｂとを連結する樹脂材料からなる断熱部材４３Ｃとを有して形成されている。また、障子４０Ｃにおける縦框である召合せ框４４は、アルミ形材製の框本体４４Ａと、この框本体４４Ａの室内側を覆って設けられたカバー材（覆い部材）４４Ｂと、これらの框本体４４Ａとカバー材４４Ｂとを連結する樹脂材料からなる断熱部材４４Ｃとを有して形成されている。カバー材４３Ｂ，４４Ｂは、框本体４３Ａ，４４Ａよりも熱伝導率の低い樹脂材料から形成されている。
【００３６】
図１０(Ａ)に示すように、障子４０Ａの戸先框４３において、框本体４３Ａは、断面略コ字形に形成されており、この框本体４３Ａによってガスケットを介してガラスパネル４５の側端縁が保持されるようになっている。そして、カバー材４３Ｂの見付け方向内端とガラスパネル４５との間には隙間が形成されており、この隙間によって吸気口４３４（または排気口４３５）が構成されている。また、カバー材４３Ｂと框本体４３Ａの室内面との間に隙間が形成されており、この隙間によって内気導通部４３６が構成され、框本体４３Ａの室内面によって熱交換部４３７が構成されている。この熱交換部４３７において、框本体４３Ａの室内面には、複数の凹凸が形成されており、これらの凹凸によって熱交換部４３７の表面積が拡大されている。
【００３７】
一方、図１０(Ｂ)および図１１に示すように、障子４０Ｂおよび障子４０Ｄの戸先框４３において、框本体４３Ａとカバー材４３Ｂとでガラスパネル４５の側端縁が保持されるようになっている。つまり、カバー材４３Ｂの見付け方向内端とガラスパネル４５との間には隙間がなく互いに密接されている。そして、カバー材４３Ｂの室内側側面に形成された開口によって吸気口４３４（または排気口４３５）が構成されている。また、カバー材４３Ｂと框本体４３Ａの室内面との間に隙間が形成されており、この隙間によって内気導通部４３６が構成され、框本体４３Ａの室内面によって熱交換部４３７が構成されている。この熱交換部４３７において、框本体４３Ａの室内面には、複数の凹凸が形成されており、これらの凹凸によって熱交換部４３７の表面積が拡大されている。
【００３８】
さらに、図１１に示すように、障子４０Ｃの召合せ框４４において、框本体４４Ａとカバー材４４Ｂとでガラスパネル４５の側端縁が保持されるようになっていおり、カバー材４４Ｂの見付け方向内端とガラスパネル４５とが互いに密接されている。そして、カバー材４４Ｂの室外側端部と障子４０Ｄとの間には、隙間が形成されており、この隙間によって吸気口４４４（または排気口４４５）が構成されている。また、框本体４４Ａの室外面と障子４０Ｄの召合せ框４４との間には、隙間が形成されており、この隙間によって内気導通部４４６が構成され、框本体４４Ａの室外面によって熱交換部４４７が構成されている。この熱交換部４４７において、框本体４４Ａの室外面には、複数の凹凸が形成されており、これらの凹凸によって熱交換部４４７の表面積が拡大されている。
【００３９】
以上のような障子４０Ａ，４０Ｂ，４０Ｃ，４０Ｄでは、室内空間の内気Ａが戸先框４３や召合せ框４４の吸気口４３４，４４４を介して内気導通部４３６，４４６に取り込まれ、取り込まれた内気Ａが熱交換部４３７，４４７において框本体４３Ａ，４４Ａを介して外気と熱交換して冷却される。これにより、内気Ａ中の湿気が結露した結露水が内気導通部４３６，４４６を通って下方に落下し、排水孔（不図示）ら室外空間に排水される。そして、湿気が除去されて乾燥した内気Ａ’が排気口４３５，４４５から室内空間に戻され、室内空間の除湿が実行されるようになっている。この際、戸先框４３や召合せ框４４の内気導通部４３６，４４６が上下に延びて設けられているので、熱交換部４３７，４４７で冷却された内気Ａ’が内気導通部４３６，４４６中を下降することによる下降気流が発生し、この下降気流によって吸気口４３４，４４４から取り込まれて排気口４３５，４４５から室内空間へ戻されるという内気Ａ，Ａ’の循環が起きるようになっている。
【００４０】
このような本実施形態によれば、前記（１）、（４）、（５）の効果に加えて以下のような効果がある。
（７）すなわち、熱交換部４３７，４４７における框本体４３Ａ，４４Ａの側面に凹凸を設けることで、熱交換部４４７の表面積が拡大され、熱交換効率（除湿性能）を向上させることができる。
【００４１】
〔第５実施形態〕
次に、本発明の第５実施形態を図１２に基づいて説明する。
図１２は、本発明の第５実施形態に係る建具における障子５０の縦框（外召合せ框）５４を示す斜視図である。
第５実施形態の建具は、第１〜第４実施形態と同様の窓枠に支持された障子５０を備えた引違い窓で、障子５０における縦框５４の構成が第１〜第４実施形態と相違するものである。以下、相違点について詳しく説明する。
【００４２】
障子５０の縦框５４は、アルミ形材製の框本体５４Ａと、この框本体５４Ａにおける室外側側面と室内側側面とに連続して設けられた金属部材５４Ｂと、この金属部材５４Ｂの室内側を覆うカバー材（覆い部材）５４Ｃとを有して構成されている。金属部材５４Ｂは、アルミ形材よりも熱伝導率が高い金属材料（例えば、銅）で形成されており、この金属部材５４Ｂの室内側に露出した側面によって本実施形態の熱交換部５４７が構成されている。さらに、金属部材５４Ｂの室内面には、上下に延びる複数の突片５４８が形成されており、これらの突片５４８によって熱交換部５４７の表面積が拡大されている。また、カバー材５４Ｃは、断面略コ字形に形成された樹脂製部材であって、その室内側側面に形成された複数の開口によって吸気口５４４（または排気口５４５）が構成されている。そして、カバー材５４Ｃを取り付けた状態において、金属部材５４Ｂの室内面とカバー材５４Ｃとの間に隙間が形成されるようになっており、この隙間によって内気導通部５４６が構成されている。
【００４３】
以上のような障子５０では、室内空間の内気Ａが縦框５４の吸気口５４４を介して内気導通部５４６に取り込まれ、取り込まれた内気Ａが熱交換部５４７において金属部材５４Ｂを介して外気と熱交換して冷却される。これにより、内気Ａ中の湿気が結露した結露水が内気導通部５４６を通って下方に落下し、排水孔（不図示）ら室外空間に排水される。そして、湿気が除去されて乾燥した内気Ａ’が排気口５４５から室内空間に戻され、室内空間の除湿が実行されるようになっている。この際、縦框５４の内気導通部５４６が上下に延びて設けられているので、熱交換部５４７で冷却された内気Ａ’が内気導通部５４６中を下降することによる下降気流が発生し、この下降気流によって吸気口５４４から取り込まれて排気口５４５から室内空間へ戻されるという内気Ａ，Ａ’の循環が起きるようになっている。
【００４４】
このような本実施形態によれば、前記（１）、（４）、（５）の効果に加えて以下のような効果がある。
（８）すなわち、金属部材５４Ｂがアルミ形材よりも熱伝導率の高い金属材料から形成され、この金属部材５４Ｂを熱橋（ヒートブリッジ）として内気と外気との熱交換を行うことで、熱交換効率（除湿性能）を向上させることができる。
【００４５】
〔第６実施形態〕
次に、本発明の第６実施形態を図１３に基づいて説明する。
図１３は、本発明の第６実施形態に係る建具における障子６０を示す横断面図である。
第６実施形態の建具は、第１〜第５実施形態と同様の窓枠に支持された障子６０を備えた引違い窓で、障子６０の構成が第１〜第５実施形態と相違するものである。以下、相違点について詳しく説明する。
【００４６】
障子６０（室内側障子６０Ａおよび室外側障子６０Ｂ）における縦框である召合せ框６４（内召合せ框６４１、外召合せ框６４２）のうち、外召合せ框６４２は、アルミ形材製中空筒状の框本体６４Ａと、この框本体６４Ａの室内側を覆って設けられたカバー材（覆い部材）６４Ｂとを有して形成されている。カバー材６４Ｂは、框本体６４Ａよりも熱伝導率の低い樹脂材料から、複数のスリット開口を有して形成されている。そして、框本体６４Ａの中空部によって内気導通部６４６が構成され、框本体６４Ａの内部側面によって熱交換部６４７が構成されている。熱交換部６４７には、複数の凹凸が形成されており、これらの凹凸によって熱交換部６４７の表面積が拡大されている。
一方、カバー材６４Ｂで覆われた框本体６４Ａの室内面には、吸気口６４４および排気口６４５が、それぞれ外召合せ框６４２の上端部および下端部に形成されている。この吸気口６４４（および排気口６４５）には、室内側から開閉操作可能な閉鎖部材６４４Ａが設けられており、閉鎖部材６４４Ａを開放することで内気導通部６４６を室内空間に連通させることができ、閉鎖部材６４４Ａを閉じることで内気導通部６４６と室内空間との連通を遮断することができる。
【００４７】
以上のような障子６０では、閉鎖部材６４４Ａを開放した状態において、室内空間の内気Ａがカバー材６４Ｂのスリットおよび吸気口６４４を介して内気導通部６４６に取り込まれ、取り込まれた内気Ａが熱交換部６４７において框本体６４Ａを介して外気と熱交換して冷却される。これにより、内気Ａ中の湿気が結露した結露水が内気導通部６４６を通って下方に落下し、排水孔（不図示）ら室外空間に排水される。そして、湿気が除去されて乾燥した内気Ａ’が排気口６４５から室内空間に戻され、室内空間の除湿が実行されるようになっている。
【００４８】
このような本実施形態によれば、前記（１）〜（５）、（７）の効果に加えて以下のような効果がある。
（９）すなわち、冬季においては閉鎖部材６４４Ａを開放して室内空間の除湿を実施する一方で、除湿が不要な季節においては、閉鎖部材６４４Ａを閉鎖することで、内気導通部６４６への内気の導通を停止して熱交換部６４７を介した室内空間への外気温の伝導を抑制することができ、夏季における冷房付加を低減して空調効率を向上させることができる。
【００４９】
〔第７実施形態〕
次に、本発明の第７実施形態を図１４に基づいて説明する。
図１４は、本発明の第７実施形態に係る建具における障子７０を示す横断面図である。
第７実施形態の建具は、第１〜第６実施形態と同様の窓枠に支持された障子７０を備えた引違い窓で、障子７０の構成が第１〜第６実施形態と相違するものである。以下、相違点について詳しく説明する。
【００５０】
障子７０（室内側障子７０Ａおよび室外側障子７０Ｂ）における縦框である召合せ框７４（内召合せ框７４１、外召合せ框７４２）のうち、外召合せ框７４２は、アルミ形材製中空筒状の框本体７４Ａと、この框本体７４Ａの室内側を覆って設けられたカバー材（覆い部材）７４Ｂとを有して形成されている。カバー材７４Ｂは、框本体７４Ａよりも熱伝導率の低い樹脂材料から、複数のスリット開口を有して形成されている。そして、框本体７４Ａの一方（図中、左側）の中空部によって内気導通部７４６が構成され、框本体７４Ａの２つの内部側面によって熱交換部７４７が構成されている。一方の内部側面における熱交換部７４７には、複数の突片７４８Ａが形成され、他方の内部側面における熱交換部７４７には、上下に延びた複数の溝７４８Ｂが形成されており、これらの突片７４８Ａおよび溝７４８Ｂによって熱交換部７４７の表面積が拡大されている。また、框本体７４Ａの見込み面には、適宜な間隔で開口７４Ｃが形成されており、この開口７４Ｃによって他方の内部側面の反対側に外気を導入できるようになっている。
【００５１】
一方、カバー材７４Ｂで覆われた框本体７４Ａの室内面には、吸気口７４４および排気口７４５が、それぞれ外召合せ框７４２の上端部および下端部に形成されている。
以上のような障子７０では、室内空間の内気Ａがカバー材７４Ｂのスリットおよび吸気口７４４を介して内気導通部７４６に取り込まれ、取り込まれた内気Ａが２つの熱交換部７４７において框本体７４Ａを介して外気と熱交換して冷却される。これにより、内気Ａ中の湿気が結露した結露水が内気導通部７４６を通って下方に落下し、排水孔（不図示）ら室外空間に排水される。そして、湿気が除去されて乾燥した内気Ａ’が排気口７４５から室内空間に戻され、室内空間の除湿が実行されるようになっている。
【００５２】
このような本実施形態によれば、前記（１）〜（５）の効果に加えて以下のような効果がある。
（10）すなわち、框本体７４Ａにおける他方の内部側面に形成された溝７４８Ｂによって、熱交換部７４７で結露した結露水の表面張力が壊され、熱交換部７４７の表面に付着しにくくなった結露水が溝７４８Ｂに沿って下方に落下することで、熱交換部７４７の表面に新たな結露水が生じやすくなることから、熱交換効率（除湿性能）を向上させることができる。
【００５３】
なお、本発明は、前記各実施形態に限定されるものではなく、本発明の目的を達成できる他の構成等を含み、以下に示すような変形等も本発明に含まれる。
例えば、前記各実施形態においては、引違い窓１について説明したが、本発明の建具は、引違い窓に限らず、片引き窓や上げ下げ窓、嵌め殺し窓等の各種のサッシ窓であってもよく、また玄関や勝手口等の各種の出入り口であってもよい。
また、前記各実施形態では、内気導通部、熱交換部、吸気口（上部開口）および排気口（下部開口）を框材（主に縦框）に設けたが、これに限らず、これらの各部を面材に設けてもよい。この場合の面材としては、ガラスパネルに限らず、樹脂パネルや金属パネルなどが適用できる。
【００５４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５５】
【図１】本発明の第１実施形態に係る建具を示す縦断面図である。
【図２】前記建具を示す横断面図である。
【図３】前記建具の外召合せ框を示す斜視図である。
【図４】前記建具の外召合せ框を示す縦断面図である。
【図５】本発明の第２実施形態に係る建具における障子を示す正面図である。
【図６】前記障子を示す縦断面図である。
【図７】前記障子を示す横断面図である。
【図８】本発明の第３実施形態に係る建具における障子を示す縦断面図である。
【図９】前記障子の縦框を示す横断面図である。
【図１０】(Ａ)，(Ｂ)は、本発明の第４実施形態に係る建具における障子を示す横断面図である。
【図１１】前記実施形態の建具における障子を示す横断面図である。
【図１２】本発明の第５実施形態に係る建具における障子の縦框を示す斜視図である。
【図１３】本発明の第６実施形態に係る建具における障子を示す横断面図である。
【図１４】本発明の第７実施形態に係る建具における障子を示す横断面図である。
【符号の説明】
【００５６】
２…枠体である窓枠、１０，１０Ａ，１０Ｂ，２０，３０，４０Ａ，４０Ｂ，４０Ｃ，４０Ｄ，５０，６０，６０Ａ，６０Ｂ，７０，７０Ａ，７０Ｂ…面状体である障子、１１，２１，３１…上框、１２，２２，３２…下框、１３，１４，２３，３３，４３，４４，５４，６４，７４…縦框、１５，２５，３５，４５…面材であるガラスパネル、２３Ａ、４３Ａ，４４Ａ，５４Ａ…縦框本体、２３Ｂ、４３Ｂ，４４Ｂ，５４Ｃ…覆い部材であるカバー材、５４Ｂ…金属部材、１４４，２１３，４３４，４４４，５４４，６４４，７４４…上部開口である吸気口、１４５，２２３，４３５，４４５，５４５，６４５，７４５…下部開口である排気口、１４６，２３１，３３１，４３６，４４６，５４６，６４６，７４６…内気導通部、１４７，２３２，３３２，４３７，４４７，５４７，６４７，７４７…熱交換部、１４８，５４８，７４８Ａ…突片、１４９…排水部である排水孔、７４８Ｂ…溝。
【図１】
0004503509.tif 000002
【図２】
0004503509.tif 000003
【図３】
0004503509.tif 000004
【図４】
0004503509.tif 000005
【図５】
0004503509.tif 000006
【図６】
0004503509.tif 000007
【図７】
0004503509.tif 000008
【図８】
0004503509.tif 000009
【図９】
0004503509.tif 000010
【図１０】
0004503509.tif 000011
【図１１】
0004503509.tif 000012
【図１２】
0004503509.tif 000013
【図１３】
0004503509.tif 000014
【図１４】
0004503509.tif 000015